(57)【特許請求の範囲】
【請求項１】
端末と主装置とが有線で接続され相互にＩＰ通信を行うボタン電話システムにおいて、
上記主装置は、
消費電力をより少なくした状態である省電力状態に遷移する時刻である省電力状態遷移時刻になったとき、上記端末宛てに、省電力状態を継続する時間である省電力継続時間を示すデータである省電力継続時間データとともに、省電力状態への遷移の指示を送信する送信手段を備え、
上記端末は、
上記主装置と通信を行う通信手段と、
設定された時間の経過を計測する計時手段と、
上記主装置から、上記省電力継続時間データと共に、省電力状態への遷移の指示を受けたとき、上記計時手段に上記省電力継続時間を設定するとともに、上記通信手段を停止させ、上記計時手段が上記省電力継続時間の経過を計測したとき、停止している上記通信手段を起動させる制御手段と
を備える
ことを特徴とするボタン電話システム。
【請求項２】
請求項１に記載のボタン電話システムにおいて、
前記主装置は、前記省電力状態遷移時刻と、前記省電力状態から動作状態となる時刻である起動時刻とを記憶している記憶手段をさらに備え、
前記送信手段は、前記省電力状態遷移時刻になったとき、前記端末宛てに、前記省電力状態遷移時刻から前記起動時刻までの前記省電力継続時間を示すデータである前記省電力継続時間データとともに、省電力状態への遷移の指示を送信する
ことを特徴とするボタン電話システム。
【請求項３】
端末と主装置とが有線で接続され相互にＩＰ通信を行うボタン電話システムの制御方法において、
上記主装置において、消費電力をより少なくした状態である省電力状態に遷移する時刻である省電力状態遷移時刻になったとき、上記端末宛てに、省電力状態を継続する時間である省電力継続時間を示すデータである省電力継続時間データとともに、省電力状態への遷移の指示を送信するステップと、
上記端末において、上記主装置から、上記省電力継続時間データと共に、省電力状態への遷移の指示を受けたとき、設定された時間の経過を計測する計時手段に上記省電力継続時間を設定するとともに、上記主装置と通信を行う通信手段を停止させるステップと、
上記端末において、上記計時手段が上記省電力継続時間の経過を計測したとき、停止している上記通信手段を起動させるステップと
を含むことを特徴とする制御方法。
【請求項４】
主装置と有線で接続され相互にＩＰ通信を行うボタン電話システムを構成する端末において、
上記主装置と通信を行う通信手段と、
設定された時間の経過を計測する計時手段と、
前記主装置から、動作状態から消費電力をより少なくした状態である省電力状態を継続する時間である省電力継続時間を示すデータである省電力継続時間データと共に、省電力状態への遷移の指示を受けたとき、上記計時手段に上記省電力継続時間を設定するとともに、上記通信手段を停止させ、上記計時手段が上記省電力継続時間の経過を計測したとき、停止している上記通信手段を起動させる制御手段と
を備えることを特徴とする端末。
【請求項５】
主装置と有線で接続され相互にＩＰ通信を行うボタン電話システムを構成する端末であって、上記主装置と通信を行う通信手段と、設定された時間の経過を計測する計時手段とを備える端末の制御方法において、
前記主装置から、動作状態から消費電力をより少なくした状態である省電力状態を継続する時間である省電力継続時間を示すデータである省電力継続時間データと共に、省電力状態への遷移の指示を受けたとき、上記計時手段に上記省電力継続時間を設定するとともに、上記通信手段を停止させるステップと、
上記計時手段が上記省電力継続時間の経過を計測したとき、停止している上記通信手段を起動させるステップと
を含むことを特徴とする制御方法。
【請求項６】
主装置と有線で接続され相互にＩＰ通信を行うボタン電話システムを構成する端末であって、上記主装置と通信を行う通信手段と、設定された時間の経過を計測する計時手段とを備える端末に、
前記主装置から、動作状態から消費電力をより少なくした状態である省電力状態を継続する時間である省電力継続時間を示すデータである省電力継続時間データと共に、省電力状態への遷移の指示を受けたとき、上記計時手段に上記省電力継続時間を設定するとともに、上記通信手段を停止させるステップと、
上記計時手段が上記省電力継続時間の経過を計測したとき、停止している上記通信手段を起動させるステップと
を含む処理を行わせるプログラム。
【請求項７】
端末と主装置とが有線で接続され相互にＩＰ通信を行うボタン電話システムにおいて、
上記主装置は、
消費電力をより少なくした状態である省電力状態に遷移する時刻である省電力状態遷移時刻になったとき、上記端末宛てに、省電力状態から動作状態に遷移する時刻である省電力解除時刻を示すデータである省電力解除時刻データとともに、省電力状態への遷移の指示を送信する送信手段を備え、
上記端末は、
上記主装置と通信を行う通信手段と、
時刻を計測する計時手段と、
上記主装置から、上記省電力解除時刻データと共に、省電力状態への遷移の指示を受けたとき、上記計時手段に上記省電力解除時刻を設定するとともに、上記通信手段を停止させ、上記計時手段が上記省電力解除時刻を計測したとき、停止している上記通信手段を起動させる制御手段と
を備える
ことを特徴とするボタン電話システム。
【請求項８】
端末と主装置とが有線で接続され相互にＩＰ通信を行うボタン電話システムにおいて、
上記主装置は、
上記端末宛てに、消費電力をより少なくした状態である省電力状態に遷移する時刻である省電力状態遷移時刻を示す省電力状態遷移時刻データ、および省電力状態を継続する時間である省電力継続時間を示すデータである省電力継続時間データとともに、省電力状態への遷移の指示を送信する送信手段を備え、
上記端末は、
上記主装置と通信を行う通信手段と、
設定された時間の経過および時刻を計測する計時手段と、
上記主装置から、上記省電力状態遷移時刻データおよび上記省電力継続時間データと共に、省電力状態への遷移の指示を受けたとき、上記計時手段に上記省電力状態遷移時刻および上記省電力継続時間を設定し、上記計時手段が上記省電力状態遷移時刻を計測したとき、上記通信手段を停止させ、上記計時手段が、上記通信手段の停止から上記省電力継続時間の経過を計測したとき、停止している上記通信手段を起動させる制御手段と
を備える
ことを特徴とするボタン電話システム。
【請求項９】
端末と主装置とが有線で接続され相互にＩＰ通信を行うボタン電話システムにおいて、
上記主装置は、
上記端末宛てに、消費電力をより少なくした状態である省電力状態に遷移する時刻である省電力状態遷移時刻を示す省電力状態遷移時刻データ、および省電力状態から動作状態に遷移する時刻である省電力解除時刻を示すデータである省電力解除時刻データとともに、省電力状態への遷移の指示を送信する送信手段を備え、
上記端末は、
上記主装置と通信を行う通信手段と、
時刻を計測する計時手段と、
上記主装置から、上記省電力状態遷移時刻データおよび上記省電力解除時刻データと共に、省電力状態への遷移の指示を受けたとき、上記計時手段に上記省電力状態遷移時刻および省電力解除時刻を設定し、上記計時手段が上記省電力状態遷移時刻を計測したとき、上記通信手段を停止させ、上記計時手段が、上記省電力解除時刻を計測したとき、停止している上記通信手段を起動させる制御手段と
を備える
ことを特徴とするボタン電話システム。
【発明の詳細な説明】
【技術分野】
【０００１】
本発明はボタン電話システム、制御方法、端末、およびプログラムに関する。
【背景技術】
【０００２】
電話機の消費電力を効果的に削減する為にLCD（Liquid Crystal Display）を消灯する手法が取られてきた。
【０００３】
たとえばネットワーク管理サーバの制御部が、IP（Internet Protocol）電話機の動作モードスケジュールテーブルを備え、時間を監視し、このテーブルに設定された時間帯になると、動作モードの変更指示を出すものもある（例えば、特許文献１参照）。
【先行技術文献】
【特許文献】
【０００４】
【特許文献１】特開２００５−２７７６９４号公報
【発明の概要】
【発明が解決しようとする課題】
【０００５】
IP電話機の場合、消費電力をさらに効果的に削減しようとしたときにはネットワーク通信を停止することも考えられる。しかし、IP電話機がネットワーク通信を停止させた場合、主装置からのメッセージがIP電話機に到達せず、主装置のスケジュールどおりに消費電力を抑えている状態の起動または復帰をすることができなかった。
【０００６】
そこで、本発明は、上記課題を解決すること、すなわち、消費電力をさらに削減できるボタン電話システム、制御方法、端末、およびプログラムを提供することを目的とする。
【課題を解決するための手段】
【０００７】
上記課題を解決するために、本発明のボタン電話システムの第１の側面は、端末と主装置とからなるボタン電話システムであって、主装置が、消費電力をより少なくした状態である省電力状態に遷移する時刻である省電力状態遷移時刻になったとき、端末宛てに、省電力状態を継続する時間である省電力継続時間を示すデータである省電力継続時間データとともに、省電力状態への遷移の指示を送信する送信手段を有し、端末が、主装置と通信を行う通信手段と、設定された時間の経過を計測する計時手段と、主装置から、省電力継続時間データと共に、省電力状態への遷移の指示を受けたとき、計時手段に省電力継続時間を設定するとともに、通信手段を停止させ、計時手段が省電力継続時間の経過を計測したとき、停止している通信手段を起動させる制御手段とを有するものとされている。
【０００８】
また、本発明の制御方法の第１の側面は、端末と主装置とからなるボタン電話システムの制御方法であって、主装置において、消費電力をより少なくした状態である省電力状態に遷移する時刻である省電力状態遷移時刻になったとき、端末宛てに、省電力状態を継続する時間である省電力継続時間を示すデータである省電力継続時間データとともに、省電力状態への遷移の指示を送信するステップと、端末において、主装置から、省電力継続時間データと共に、省電力状態への遷移の指示を受けたとき、設定された時間の経過を計測する計時手段に省電力継続時間を設定するとともに、主装置と通信を行う通信手段を停止させるステップと、端末において、計時手段が省電力継続時間の経過を計測したとき、停止している通信手段を起動させるステップとを含むものとされている。
【０００９】
さらに、本発明の端末の一側面は、主装置とともにボタン電話システムを構成する端末であって、主装置と通信を行う通信手段と、設定された時間の経過を計測する計時手段と、主装置から、動作状態から消費電力をより少なくした状態である省電力状態を継続する時間である省電力継続時間を示すデータである省電力継続時間データと共に、省電力状態への遷移の指示を受けたとき、計時手段に省電力継続時間を設定するとともに、通信手段を停止させ、計時手段が省電力継続時間の経過を計測したとき、停止している通信手段を起動させる制御手段とを有するものとされている。
【００１０】
また、本発明の制御方法の第２の側面は、主装置とともにボタン電話システムを構成する端末であって、主装置と通信を行う通信手段と、設定された時間の経過を計測する計時手段とを備える端末の制御方法であって、主装置から、動作状態から消費電力をより少なくした状態である省電力状態を継続する時間である省電力継続時間を示すデータである省電力継続時間データと共に、省電力状態への遷移の指示を受けたとき、計時手段に省電力継続時間を設定するとともに、通信手段を停止させるステップと、計時手段が省電力継続時間の経過を計測したとき、停止している通信手段を起動させるステップとを含むものとされている。
【００１１】
さらに、本発明のプログラムの一側面は、主装置とともにボタン電話システムを構成する端末であって、主装置と通信を行う通信手段と、設定された時間の経過を計測する計時手段とを備える端末に、主装置から、動作状態から消費電力をより少なくした状態である省電力状態を継続する時間である省電力継続時間を示すデータである省電力継続時間データと共に、省電力状態への遷移の指示を受けたとき、計時手段に省電力継続時間を設定するとともに、通信手段を停止させるステップと、計時手段が省電力継続時間の経過を計測したとき、停止している通信手段を起動させるステップとを含む処理を行わせるものとされている。
【００１２】
本発明のボタン電話システムの第２の側面は、端末と主装置とからなるボタン電話システムであって、主装置が、消費電力をより少なくした状態である省電力状態に遷移する時刻である省電力状態遷移時刻になったとき、端末宛てに、省電力状態から動作状態に遷移する時刻である省電力解除時刻を示すデータである省電力解除時刻データとともに、省電力状態への遷移の指示を送信する送信手段を有し、端末が、主装置と通信を行う通信手段と、時刻を計測する計時手段と、主装置から、省電力解除時刻データと共に、省電力状態への遷移の指示を受けたとき、計時手段に省電力解除時刻を設定するとともに、通信手段を停止させ、計時手段が省電力解除時刻を計測したとき、停止している通信手段を起動させる制御手段とを有するものとされている。
【００１３】
本発明のボタン電話システムの第３の側面は、端末と主装置とからなるボタン電話システムであって、主装置が、端末宛てに、消費電力をより少なくした状態である省電力状態に遷移する時刻である省電力状態遷移時刻を示す省電力状態遷移時刻データ、および省電力状態を継続する時間である省電力継続時間を示すデータである省電力継続時間データとともに、省電力状態への遷移の指示を送信する送信手段を有し、端末が、主装置と通信を行う通信手段と、設定された時間の経過および時刻を計測する計時手段と、主装置から、省電力状態遷移時刻データおよび省電力継続時間データと共に、省電力状態への遷移の指示を受けたとき、計時手段に省電力状態遷移時刻および省電力継続時間を設定し、計時手段が省電力状態遷移時刻を計測したとき、通信手段を停止させ、計時手段が、通信手段の停止から省電力継続時間の経過を計測したとき、停止している通信手段を起動させる制御手段とを有するものとされている。
【００１４】
本発明のボタン電話システムの第４の側面は、端末と主装置とからなるボタン電話システムであって、主装置が、端末宛てに、消費電力をより少なくした状態である省電力状態に遷移する時刻である省電力状態遷移時刻を示す省電力状態遷移時刻データ、および省電力状態から動作状態に遷移する時刻である省電力解除時刻を示すデータである省電力解除時刻データとともに、省電力状態への遷移の指示を送信する送信手段を有し、端末が、主装置と通信を行う通信手段と、時刻を計測する計時手段と、主装置から、省電力状態遷移時刻データおよび省電力解除時刻データと共に、省電力状態への遷移の指示を受けたとき、計時手段に省電力状態遷移時刻および省電力解除時刻を設定し、計時手段が省電力状態遷移時刻を計測したとき、通信手段を停止させ、計時手段が、省電力解除時刻を計測したとき、停止している通信手段を起動させる制御手段とを有するものとされている。
【発明の効果】
【００１５】
本発明の一側面並びに第１の側面および第２の側面によれば、消費電力をさらに削減できるボタン電話システム、制御方法、端末、およびプログラムを提供することができる。
【図面の簡単な説明】
【００１６】
【図１】ボタン電話システム１１の構成の例を示すブロック図である。
【図２】制御プログラムを実行する制御部４６によって実現される機能の構成を示すブロック図である。
【図３】IP電話機２２の構成の例を示すブロック図である。
【図４】制御プログラムを実行する制御部９４によって実現される機能の構成を示すブロック図である。
【図５】ボタン電話システム１１を省電力状態とする制御を説明するフローチャートである。
【発明を実施するための形態】
【００１７】
以下、本発明の一実施の形態のボタン電話システム１１について、図１〜図５を参照しながら説明する。
【００１８】
図１は、ボタン電話システム１１の構成の例を示すブロック図である。ボタン電話システム１１は、ボタン電話装置２１およびIP電話機２２−１〜２２−３からなる。ボタン電話装置２１とIP電話機２２−１〜２２−３とは、LAN（Local Area Network）２３により接続されている。ボタン電話装置２１は、PBX（構内交換装置）などであり、主装置の一例である。ボタン電話装置２１は、公衆外線２４を介した外部からの発呼に応じて、IP電話機２２−１〜２２−３を鳴動させる。また、ボタン電話装置２１は、IP電話機２２−１〜２２−３から外部への通話が要求された場合、公衆外線２４を介して発呼する。
【００１９】
IP電話機２２−１〜２２−３は、ユーザによって使用され、公衆外線２４を介した外部からの発呼を受けたり、または外部への通話を要求して、外部と通話する。この場合、IP電話機２２−１〜２２−３は、TCP/IP（Transmission Control Protocol/Internet Protocol）ネットワークを使って音声データを送受信するプロトコルであるVoIP（Voice over Internet Protocol）などに準拠して通信する。
【００２０】
ボタン電話装置２１は、IP内線インターフェイス制御部４１、内線呼制御部４２、外線呼制御部４３、外線インターフェイス制御部４４、システムデータメモリ４５、および制御部４６を備える。IP内線インターフェイス制御部４１は、LAN２３を介したボタン電話装置２２−１〜２２−３との通信を制御する。内線呼制御部４２は、公衆外線２４を介して外部から発呼された場合、外線呼制御部４３からの要求に応じて、IP内線インターフェイス制御部４１およびLAN２３を介した、IP電話機２２−１〜２２−３への発呼を制御する。また、内線呼制御部４２は、IP電話機２２−１〜２２−３のいずれか１つからIP電話機２２−１〜２２−３のうちの他のものに発呼された場合、IP内線インターフェイス制御部４１およびLAN２３を介した、IP電話機２２−１〜２２−３への発呼を制御する。さらに、内線呼制御部４２は、IP電話機２２−１〜２２−３から外部から発呼された場合、外線呼制御部４３に外部への発呼を要求する。
【００２１】
外線呼制御部４３は、IP電話機２２−１〜２２−３から外部に発呼された場合、内線呼制御部４２からの要求に応じて、外線インターフェイス制御部４４および公衆外線２４を介した発呼を制御する。外線呼制御部４３は、外線インターフェイス制御部４４および公衆外線２４を介して、外部からIP電話機２２−１〜２２−３に発呼された場合、内線呼制御部４２にIP電話機２２−１〜２２−３への発呼を要求する。
【００２２】
システムデータメモリ４５は、半導体メモリ、ハードディスクドライブ、またはメモリカードなどからなり、制御部４６が実行する制御プログラム、各種の制御に必要なデータやECOモードに遷移するスケジュールを示すECOスケジュールなどを記憶（登録）する。制御部４６は、専用若しくはプログラム可能なIC（Integrated Circuit）または制御プログラムを実行するMPU（Micro Processing Unit）などよりなり、ボタン電話装置２１の各部を制御する。また、制御部４６は、ボタン電話システム１１の状態を、消費電力をより少なくした状態であるECOモードに遷移させるか、または待機状態に遷移させる。なお、ECOモードは、消費電力をより少なくした状態である省電力状態の一例であり、待機状態は、動作状態の一例である。制御部４６は、ボタン電話システム１１の状態をECOモードに遷移させる場合、IP内線インターフェイス制御部４１を制御して、LAN２３を介してIP電話機２２−１〜２２−３に、ECOモードへの遷移の指示を送信させる。
【００２３】
なお、以下、IP電話機２２−１〜２２−３を個々に区別する必要がない場合、単にIP電話機２２と称する。
【００２４】
以下、制御部４６が、システムデータメモリ４５に記憶されている制御プログラムを実行して、ボタン電話装置２１の各部を制御する場合を例に説明する。
【００２５】
図２は、制御プログラムを実行する制御部４６によって実現される機能の構成を示すブロック図である。制御プログラムを実行する制御部４６によって、スケジューラ６１、計時部６２、指示生成部６３、および通信制御部６４が実現される。スケジューラ６１は、スケジュールリスト７１として記憶されているECOスケジュールに基づき、予め決められた時刻にECOモードまたは待機状態への遷移を指示する。ここで、スケジュールリスト７１には、ECOモード起動時刻とECOモード解除時刻とが記述されている。ECOモード起動時刻は、ECOモードに遷移する時刻である。ECOモード解除時刻は、ECOモードから待機状態に遷移する時刻である。ECOモードは、待機状態の消費電力に比較して、消費電力をより少なくした状態である。
【００２６】
例えば、スケジュールリスト７１には、18:00であるECOモード起動時刻と、07:00であるECOモード解除時刻とが記述されている。以下、スケジュールリスト７１に18:00であるECOモード起動時刻と、07:00であるECOモード解除時刻とが記述されている場合を例に説明する。
【００２７】
計時部６２は、いわゆる時計であり、現在の時刻を出力する。スケジューラ６１は、計時部６２から現在の時刻を取得し、スケジュールリスト７１のECOモード起動時刻と現在の時刻とを比較する。現在の時刻がECOモード起動時刻になったとき、スケジューラ６１は、現在の時刻がECOモード起動時刻になったことを指示生成部６３に通知する。指示生成部６３は、現在の時刻がECOモード起動時刻になったことが通知されたとき、IP電話機２２に送信するための、ECOモード指示を生成する。ECOモード指示は、ECO起動の指示、すなわち、ECOモードへの遷移の指示と、ECOモードを継続する時間であるECOモード継続時間を示すデータであるECOモード継続時間データとを含む。この場合、ECOモード継続時間は、18:00であるECOモード起動時刻から07:00であるECOモード解除時刻までの１３時間とされる。ECOモード継続時間データは、１３時間であるECOモード継続時間を示す。
【００２８】
指示生成部６３は、生成したECOモード指示を通信制御部６４に供給する。通信制御部６４は、IP内線インターフェイス制御部４１を制御して、LAN２３を介してIP電話機２２宛てに、ECOモード指示を送信させる。
【００２９】
次に、IP電話機２２の構成について説明する。図３は、IP電話機２２の構成の例を示すブロック図である。IP電話機２２は、表示部９１、音声入出力部９２、通信部９３、制御部９４、計時部９５、および電源９６を備える。表示部９１は、LCDや有機EL（electroluminescence）ディスプレイなどからなり、制御部９４の制御の基に、電話番号などの各種の情報を表示する。音声入出力部９２は、マイクロフォンおよびラウドスピーカーからなり、通話している通話者であるユーザの音声を取得し、通話の相手の音声を出力する。通信部９３は、LAN２３を介してボタン電話装置２１と、発呼の信号や通話の音声の信号などを通信する。また、通信部９３は、LAN２３を介してボタン電話装置２１から送信されてくる各種の制御のための信号を受信する。例えば、通信部９３は、ボタン電話装置２１から送信されてくるECOモード指示を受信する。また、通信部９３は、LAN２３を介してボタン電話装置２１に、各種の制御のための信号を送信する。例えば、通信部９３は、ボタン電話装置２１に、IP電話機２２の状態を通知する信号を送信する。
【００３０】
制御部９４は、専用若しくはプログラム可能なICまたは制御プログラムを実行するMPUなどよりなり、IP電話機２２の各部を制御する。計時部９５は、いわゆるタイマーであり、設定された時間の経過を計測する。計時部９５は、設定された時間が経過したとき、割り込みにより、設定された時間が経過した旨を制御部９４に通知する。
【００３１】
制御部９４は、ボタン電話装置２１からECOモード指示を受けたとき、計時部９５にECOモード継続時間を設定する。また、制御部９４は、ボタン電話装置２１からECOモード指示を受けたとき、通信部９３を停止させる。また、制御部９４は、ボタン電話装置２１からECOモード指示を受けたとき、表示部９１および音声入出力部９２を停止させる。なお、計時部９５は、表示部９１、音声入出力部９２、および通信部９３が停止しているときも、時間の経過を計測する。
【００３２】
制御部９４は、割り込みにより計時部９５からECOモード継続時間が経過した旨の通知を受けたとき、停止している通信部９３を起動させる。また、制御部９４は、割り込みにより計時部９５からECOモード継続時間が経過した旨の通知を受けたとき、省電力状態にある表示部９１および音声入出力部９２を起動させる。
【００３３】
電源９６は、表示部９１〜計時部９５に必要な電源を供給する。電源９６は、表示部９１、音声入出力部９２、および通信部９３が停止しているときも、表示部９１〜計時部９５に電源を供給する。
【００３４】
以下、制御部９４が、制御プログラムを実行して、IP電話機２２の各部を制御する場合を例に説明する。図４は、制御プログラムを実行する制御部９４によって実現される機能の構成を示すブロック図である。制御プログラムを実行する制御部９４によって、通信制御部１０１、モード制御部１０２、および計時設定部１０３が実現される。通信制御部１０１は、通信部９３に、LAN２３を介してボタン電話装置２１から送信されてくる各種の制御のための信号を受信させる。また、通信制御部１０１は、通信部９３に、LAN２３を介してボタン電話装置２１宛てに、各種の制御のための信号を送信させる。
【００３５】
モード制御部１０２は、IP電話機２２の状態をECOモードまたは待機状態などに遷移させる。モード制御部１０２は、待機状態からECOモードに遷移させるとき、表示部９１、音声入出力部９２、および通信部９３を、停止させる。モード制御部１０２は、ECOモードから待機状態に遷移させるとき、表示部９１、音声入出力部９２、および通信部９３を起動させる。計時設定部１０３は、ECOモード継続時間などの時間を計時部９５に設定する。
【００３６】
次に、図５のフローチャートを参照して、ボタン電話システム１１を省電力状態とする制御について説明する。ステップＳ２１において、ボタン電話装置２１は、待機状態にある。ステップＳ４１において、IP電話機２２は、待機状態にある。時刻が18:00になると、ステップＳ２２において、ボタン電話装置２１は、ECO起動の指示と次回ECOを解除するまでの時間（１３時間）をIP電話機２２に通知する。
【００３７】
すなわち、スケジューラ６１は、計時部６２から現在の時刻を取得し、スケジュールリスト７１として記憶されているECOスケジュールに記載されているECOモード起動時刻と現在の時刻とを比較する。スケジューラ６１は、現在の時刻がECOモード起動時刻である18:00になったとき、現在の時刻がECOモード起動時刻になったことを指示生成部６３に通知する。指示生成部６３は、現在の時刻がECOモード起動時刻になったことが通知されたとき、IP電話機２２に送信するための、ECOモード指示を生成する。ECOモード指示は、ECO起動の指示、すなわち、ECOモードへの遷移の指示と、１３時間であるECOモード継続時間を示すデータであるECOモード継続時間データとを含む。指示生成部６３は、生成したECOモード指示を通信制御部６４に供給する。通信制御部６４は、IP内線インターフェイス制御部４１を制御して、LAN２３を介してIP電話機２２宛てに、ECOモード指示を送信させる。
【００３８】
このように、ボタン電話装置２１からIP電話機２２に、ECOモード指示が送信される。このECOモード指示には、ECO起動の指示とECOモード継続時間データとが含まれる。
【００３９】
ステップＳ２３において、ボタン電話装置２１は、ECOモードになる。
【００４０】
ステップＳ４２において、IP電話機２２は、主装置からのECOモード指示によりECOモード状態（ネットワークの通信停止）とし、指定された時間をカウントする。すなわち、通信制御部１０１は、通信部９３に、LAN２３を介してボタン電話装置２１から送信されてくるECOモード指示を受信させる。通信制御部１０１は、受信されたECOモード指示をモード制御部１０２および計時設定部１０３に供給する。計時設定部１０３は、ECOモード指示に含まれるECOモード継続時間データが示す１３時間であるECOモード継続時間を計時部９５に設定する。モード制御部１０２は、ECOモード指示を受けて、IP電話機２２の状態をECOモードに遷移させる。すなわち、モード制御部１０２は、表示部９１、音声入出力部９２、および通信部９３を停止させる。このようにして、ステップＳ４３において、IP電話機２２は、ECOモードになる。ECOモードにあるIP電話機２２において、ボタン電話装置２１との通信は停止する。これにより、消費電力削減量がより大きくなる。
【００４１】
なお、IP電話機２２のECOモードにおいて、制御部９４をスリープ状態としてもよい。
【００４２】
時刻が07:00になると、ステップＳ２４において、ボタン電話装置２１は、待機状態に遷移する。
【００４３】
時刻が07:00になると、ステップＳ４４において、IP電話機２２は、再起動され、復帰する。すなわち、時刻が07:00になると１３時間であるECOモード継続時間が経過したので、計時部９５は、割り込みにより、ECOモード継続時間が経過した旨を制御部９４に通知する。制御部９４が、割り込みにより計時部９５からECOモード継続時間が経過した旨の通知を受けたとき、モード制御部１０２は、IP電話機２２の状態をECOモードから待機状態に遷移させる。すなわち、モード制御部１０２は、表示部９１、音声入出力部９２、および通信部９３を起動させ、待機状態とさせる。通信制御部１０１は、通信部９３に、LAN２３を介してボタン電話装置２１宛てに、IP電話機２２が再起動したことを通知させる。
【００４４】
このようにして、ステップＳ４５において、IP電話機２２は、待機状態になる。待機状態は、通常動作状態の１つである。また、ステップＳ２５において、ボタン電話装置２１は、待機状態になり、ボタン電話システム１１は使用可能な状態となり、ボタン電話システム１１を省電力状態とする制御は終了する。
【００４５】
このように、ECOスケジュールに記載されているECOモード起動時刻である18:00からECOモード解除時刻である07:00までの１３時間、ECOモードが継続される。ECOモードにおいて、IP電話機２２の表示部９１、音声入出力部９２、および通信部９３は停止させられる。ECOモードにおいて、利用されていないIP電話機２２の消費電力をより低減することができる。消費電力をさらに削減させることができる。
【００４６】
なお、IP電話機２２−１〜２２−３が設けられる場合を例に説明したが、これに限らず、IP電話機２２の数は任意とすることができる。
【００４７】
また、ECOモードにおいて、通信部９３を停止すると説明したが、実質的に通信が停止すれば足り、通信部９３の停止には、例えば、通信部９３の電源をオフする、クロックを止めてスリープ状態とすることも含まれる。
【００４８】
なお、ECOモード指示が、ECO起動の指示とECOモード継続時間データとを含むと説明したが、ECOモード指示が、ECO起動の指示とECOモード起動時刻を示すデータとECOモード解除時刻を示すデータとを含むようにしても、ECOモード指示が、ECO起動の指示とECOモード解除時刻を示すデータとを含むようにしてもよい。この場合、計時部９５は、いわゆる時計とされ、ECOモード解除時刻が設定され、ECOモード解除時刻になったとき、割り込みにより、ECOモード解除時刻になった旨を制御部９４に通知する。制御部９４が、割り込みにより計時部９５からECOモード解除時刻になった旨の通知を受けたとき、モード制御部１０２は、IP電話機２２の状態をECOモードから待機状態に遷移させる。
【００４９】
また、ECOモード指示が、ECO起動の指示とECOモード起動時刻を示すデータとECOモード継続時間データとを含み、通信制御部６４が、ECOモード起動時刻より前に、IP内線インターフェイス制御部４１を制御して、LAN２３を介してIP電話機２２宛てに、ECOモード指示を送信させるようにしてもよい。すなわち、通信制御部６４は、予め、IP内線インターフェイス制御部４１を制御して、LAN２３を介してIP電話機２２宛てに、ECO起動の指示とECOモード起動時刻を示すデータとECOモード継続時間データとを含むECOモード指示を送信させるようにしてもよい。この場合、計時部９５は、ECOモード起動時刻になったとき、割り込みにより、ECOモード起動時刻になった旨を制御部９４に通知する。制御部９４が、割り込みにより計時部９５からECOモード起動時刻になった旨の通知を受けたとき、モード制御部１０２は、IP電話機２２の状態を待機状態からECOモードに遷移させる。
【００５０】
さらにまた、ECOモード指示が、ECO起動の指示とECOモード起動時刻を示すデータとECOモード解除時刻を示すデータとを含み、通信制御部６４が、ECOモード起動時刻より前に、IP内線インターフェイス制御部４１を制御して、LAN２３を介してIP電話機２２宛てに、ECOモード指示を送信させるようにしてもよい。すなわち、通信制御部６４は、予め、IP内線インターフェイス制御部４１を制御して、LAN２３を介してIP電話機２２宛てに、ECO起動の指示とECOモード起動時刻を示すデータとECOモード解除時刻を示すデータとを含むECOモード指示を送信させるようにしてもよい。この場合、計時部９５は、ECOモード起動時刻になったとき、割り込みにより、ECOモード起動時刻になった旨を制御部９４に通知する。制御部９４が、割り込みにより計時部９５からECOモード起動時刻になった旨の通知を受けたとき、モード制御部１０２は、IP電話機２２の状態を待機状態からECOモードに遷移させる。計時部９５は、ECOモード解除時刻になったとき、割り込みにより、ECOモード解除時刻になった旨を制御部９４に通知する。制御部９４が、割り込みにより計時部９５からECOモード解除時刻になった旨の通知を受けたとき、モード制御部１０２は、IP電話機２２の状態をECOモードから待機状態に遷移させる。
【００５１】
以上のように、ボタン電話システムの一例であるボタン電話システム１１は、端末の一例であるIP電話機２２と主装置の一例であるボタン電話装置２１とからなる。ボタン電話装置２１は、消費電力をより少なくした状態である省電力状態に遷移する時刻である省電力状態遷移時刻になったとき、端末宛てに、省電力状態を継続する時間である省電力継続時間を示すデータである省電力継続時間データとともに、省電力状態への遷移の指示を送信する送信手段の一例であるIP内線インターフェイス制御部４１を有する。IP電話機２２は、主装置と通信を行う通信手段の一例である通信部９３と、設定された時間の経過を計測する計時手段の一例である計時部９５と、主装置から、省電力継続時間データと共に、省電力状態への遷移の指示を受けたとき、計時手段に省電力継続時間を設定するとともに、通信手段を停止させ、計時手段が省電力継続時間の経過を計測したとき、停止している通信手段を起動させる制御手段の一例である制御部９４とを有する。ECOモードは、省電力状態の一例である。ECOモード起動時刻は、省電力状態遷移時刻の一例である。ECOモード継続時間は、省電力継続時間の一例である。ECOモード継続時間データは、省電力継続時間データの一例である。ECOモード指示は、省電力状態への遷移の指示の一例である。
【００５２】
また、ボタン電話装置２１は、省電力状態遷移時刻と、省電力状態から動作状態となる時刻である起動時刻とを記憶している記憶手段の一例であるシステムデータメモリ４５をさらに有し、送信手段が、省電力状態遷移時刻になったとき、端末宛てに、省電力状態遷移時刻から起動時刻までの省電力継続時間を示すデータである省電力継続時間データとともに、省電力状態への遷移の指示を送信する。ECOモード解除時刻は、起動時刻の一例である。
【００５３】
また、ボタン電話装置２１は、消費電力をより少なくした状態である省電力状態に遷移する時刻である省電力状態遷移時刻になったとき、端末宛てに、省電力状態から動作状態に遷移する時刻である省電力解除時刻を示すデータである省電力解除時刻データとともに、省電力状態への遷移の指示を送信する送信手段の一例であるIP内線インターフェイス制御部４１を有する。IP電話機２２は、主装置と通信を行う通信手段の一例である通信部９３と、時刻を計測する計時手段の一例である計時部９５と、主装置から、省電力解除時刻データと共に、省電力状態への遷移の指示を受けたとき、計時手段に省電力解除時刻を設定するとともに、通信手段を停止させ、計時手段が省電力解除時刻を計測したとき、停止している通信手段を起動させる制御手段の一例である制御部９４とを有する。
【００５４】
さらに、ボタン電話装置２１は、端末宛てに、消費電力をより少なくした状態である省電力状態に遷移する時刻である省電力状態遷移時刻を示す省電力状態遷移時刻データ、および省電力状態を継続する時間である省電力継続時間を示すデータである省電力継続時間データとともに、省電力状態への遷移の指示を送信する送信手段の一例であるIP内線インターフェイス制御部４１を有する。IP電話機２２は、主装置と通信を行う通信手段の一例である通信部９３と、設定された時間の経過および時刻を計測する計時手段の一例である計時部９５と、主装置から、省電力状態遷移時刻データおよび省電力継続時間データと共に、省電力状態への遷移の指示を受けたとき、計時手段に省電力状態遷移時刻および省電力継続時間を設定し、計時手段が省電力状態遷移時刻を計測したとき、通信手段を停止させ、計時手段が、通信手段の停止から省電力継続時間の経過を計測したとき、停止している通信手段を起動させる制御手段の一例である制御部９４とを有する。
【００５５】
さらにまた、ボタン電話装置２１は、端末宛てに、消費電力をより少なくした状態である省電力状態に遷移する時刻である省電力状態遷移時刻を示す省電力状態遷移時刻データ、および省電力状態から動作状態に遷移する時刻である省電力解除時刻を示すデータである省電力解除時刻データとともに、省電力状態への遷移の指示を送信する送信手段の一例であるIP内線インターフェイス制御部４１を有する。IP電話機２２は、主装置と通信を行う通信手段の一例である通信部９３と、時刻を計測する計時手段の一例である計時部９５と、主装置から、省電力状態遷移時刻データおよび省電力解除時刻データと共に、省電力状態への遷移の指示を受けたとき、計時手段に省電力状態遷移時刻および省電力解除時刻を設定し、計時手段が省電力状態遷移時刻を計測したとき、通信手段を停止させ、計時手段が、省電力解除時刻を計測したとき、停止している通信手段を起動させる制御手段の一例である制御部９４とを有する。
【００５６】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【００５７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００５８】
また、本発明の実施の形態は、上述した実施の形態に限定されるものではなく、本発明の要旨を逸脱しない範囲において種々の変更が可能である。
【符号の説明】
【００５９】
１１…ボタン電話システム（ボタン電話システム）、２１…ボタン電話装置（主装置）、２２および２２−１〜２２−３  IP電話機（端末）、２３…LAN、２４…公衆外線、４１…IP内線インターフェイス制御部（送信手段）、４２…内線呼制御部、４３…外線呼制御部、４４…外線インターフェイス制御部、４５…システムデータメモリ（記憶手段）、４６…制御部、６１…スケジューラ、６２…計時部、６３…指示生成部、６４…通信制御部、７１…スケジュールリスト、９１…表示部、９２…音声入出力部、９３…通信部（通信手段）、９４…制御部（制御手段）、９５…計時部（計時手段）、９６…電源、１０１…通信制御部、１０２…モード制御部、１０３…計時設定部
【要約】
【課題】消費電力をさらに削減する。
【解決手段】ボタン電話システムは、端末と主装置とからなる。主装置は、消費電力をより少なくした状態である省電力状態に遷移する時刻である省電力状態遷移時刻になったとき、端末宛てに、省電力状態を継続する時間である省電力継続時間を示すデータである省電力継続時間データとともに、省電力状態への遷移の指示を送信する送信手段を有する。端末は、主装置と通信を行う通信手段と、設定された時間の経過を計測する計時手段と、主装置から、省電力継続時間データと共に、省電力状態への遷移の指示を受けたとき、計時手段に省電力継続時間を設定するとともに、通信手段を停止させ、計時手段が省電力継続時間の経過を計測したとき、停止している通信手段を起動させる制御手段とを有する。
【選択図】図１【図１】
0005536253.tif 000002
【図２】
0005536253.tif 000003
【図３】
0005536253.tif 000004
【図４】
0005536253.tif 000005
【図５】
0005536253.tif 000006